(57)【要約】【課題】従来の光学系においてＦナンバーをさらに小さくし、かつ光学系のサイズを小さくしようとすると、諸収差の影響、特にコマ収差の影響が大きくなってしまう。【解決手段】物体側より順に、正の屈折力の第１レンズと、負の屈折力の第２レンズと、正の屈折力の第３レンズと、正の屈折力の第４レンズと、負の屈折力の第５レンズと、を有し、第４レンズは、像側に凸面を向けたメニスカスレンズであって、最も物体側に絞りが配置され、以下の条件式（１）を満足することを特徴とする。  ０．５＜ＴＬ／（２×ＩＨ）＜１．５      （１）【選択図】図１
2013225100.tif 000002
【特許請求の範囲】
【請求項１】
物体側より順に、正の屈折力を有する第１レンズと、負の屈折力を有する第２レンズと、正の屈折力を有する第３レンズと、正の屈折力を有する第４レンズと、負の屈折力を有する第５レンズと、を有し、
前記第４レンズは、像側に凸面を向けたメニスカスレンズであって、
最も物体側に絞りが配置され、
以下の条件式（１）を満足することを特徴とする撮像光学系。
０．５＜ＴＬ／（２×ＩＨ）＜１．５      （１）
但し、
ＴＬは前記撮像光学系の全長、
ＩＨは像高、
である。
【請求項２】
以下の条件式（２）を満足することを特徴とする請求項１に記載の撮像光学系。
１．５＜ｆ3／ｆ＜２．５      （２）
但し、
ｆ3は前記第３レンズの焦点距離、
ｆは前記撮像光学系全系の焦点距離、
である。
【請求項３】
前記第３レンズの形状は、物体側に凸面を向けたメニスカス形状であることを特徴とする請求項１または請求項２に記載の撮像光学系。
【請求項４】
前記第３レンズの像側面は、光軸近傍は像側に凹面を向けた形状で、周辺部に像側に凸面を向けた形状を有することを特徴とする請求項１から請求項３のいずれか１項に記載の撮像光学系。
【請求項５】
以下の条件式（３）を満足することを特徴とする請求項１から請求項４のいずれか１項に記載の撮像光学系。
２．０＜ｒ7／ｆ＜３．０      （３）
但し、
ｒ7は前記第３レンズの像側面の近軸曲率半径、
ｆは前記結像光学系全系の焦点距離、
である。
【請求項６】
以下の条件式（４）を満足することを特徴とする請求項１から請求項５のいずれか１項に記載の撮像光学系。
０．４＜ΣｄL／ｆ＜０．５５      （４）
但し、
ΣｄLは前記結像光学系のレンズの総厚、
ｆは前記結像光学系全系の焦点距離、
である。
【請求項７】
以下の条件式（５）を満足することを特徴とする請求項１から請求項６のいずれか１項に記載の撮像光学系。
０．０５＜（ｒ10＋ｒ11）／（ｒ10−ｒ11）＜０．６      （５）
但し、
ｒ10は前記第５レンズの物体側面の近軸曲率半径、
ｒ11は前記第５レンズの像側面の近軸曲率半径、
である。
【請求項８】
前記絞りが前記第１レンズの物体側面頂よりも像側に位置することを特徴とする請求項１から請求項７のいずれか１項に記載の撮像光学系。
【請求項９】
前記第１レンズ、前記第２レンズ、前記第３レンズ、前記第４レンズ及び前記第５レンズは、いずれも樹脂により形成されていることを特徴とする請求項１から請求項８のいずれか１項に記載の撮像光学系。
【請求項１０】
請求項１から請求項９のいずれか１項に記載の撮像光学系と、撮像素子を備えることを特徴とする撮像装置。
【請求項１１】
前記撮像光学系と前記撮像素子が一体化していることを特徴とする請求項１０に記載の撮像装置。
【請求項１２】
前記撮像光学系がオートフォーカス機構と一体化していることを特徴とする請求項１０または請求項１１に記載の撮像装置。
【発明の詳細な説明】
【技術分野】
【０００１】
本発明は、撮像光学系及びそれを用いた撮像装置に関するものである。
【背景技術】
【０００２】
近年、携帯電話や携帯端末機、あるいはノートパソコン等の薄型化に伴い、光学系の光軸方向の長さを極限まで薄くしたカメラモジュールが求められている。また、撮像素子に関する技術進歩と市場のニーズの高まりから、多画素の撮像素子が使用されるようになっている。これに伴い、高い解像力を有する撮像光学系が求められている。この要求に応えるために、非球面レンズ５枚で構成された単焦点の光学系が提案されている（特許文献１、特許文献２、特許文献３）。
【先行技術文献】
【特許文献】
【０００３】
【特許文献１】特開２０１１−０９５５１３号公報
【特許文献２】特開２０１０−２６２２７０号公報
【特許文献３】特開２０１１−２３２７７２号公報
【発明の概要】
【発明が解決しようとする課題】
【０００４】
特許文献１〜特許文献３の光学系は、高い光学性能を持ち、Ｆナンバー（ＦＮＯ）もある程度小さくなっている。しかしながら、これらの光学系は全長が長いため、カメラモジュールの小型化の妨げになっている。また、これらのレンズのＦナンバーをさらに小さくし、かつ光学系の全長を短縮した場合、諸収差の影響、特にコマ収差の影響が大きくなる。そのため、特許文献の光学系では、小型でありながら高解像力な光学系を実現するのは難しい。
【０００５】
本発明は、上記に鑑みてなされたものであって、比較的小さいＦナンバーの光学系でありながら、光学系の全長を短く、レンズ径を小さく保ち、諸収差、特にコマ収差が良好に補正された撮像光学系、およびそれを用いた撮像装置を提供することを目的とする。
【課題を解決するための手段】
【０００６】
上述した課題を解決し、目的を達成するために、本発明の撮像光学系は、物体側より順に、正の屈折力を有する第１レンズと、負の屈折力を有する第２レンズと、正の屈折力を有する第３レンズと、正の屈折力を有する第４レンズと、負の屈折力を有する第５レンズと、を有し、第４レンズは、像側に凸面を向けたメニスカスレンズであって、最も物体側に絞りが配置され、以下の条件式（１）を満足することを特徴とする。
０．５＜ＴＬ／（２×ＩＨ）＜１．５      （１）
但し、
ＴＬは撮像光学系の全長、
ＩＨは像高、
である。
【０００７】
また、本発明の撮像装置は、上記の撮像光学系と撮像素子を備えることを特徴とする。
【発明の効果】
【０００８】
本発明によれば、比較的小さいＦナンバーの光学系でありながら、光学系の全長を短く、レンズ径を小さく保ち、諸収差、特にコマ収差が良好に補正された撮像光学系、及びそれを用いた撮像装置を提供することができる。
【図面の簡単な説明】
【０００９】
【図１】本発明の実施例１にかかる撮像光学系の無限遠物点合焦時の光学構成を示す光軸に沿う断面図である。
【図２】実施例１にかかる撮像光学系の無限遠物点合焦時における球面収差（ＳＡ）、非点収差（ＡＳ）、歪曲収差（ＤＴ）、倍率色収差（ＣＣ）を示す図である。
【図３】本発明の実施例２にかかる撮像光学系の無限遠物点合焦時の光学構成を示す光軸に沿う断面図である。
【図４】実施例２にかかる撮像光学系の無限遠物点合焦時における球面収差（ＳＡ）、非点収差（ＡＳ）、歪曲収差（ＤＴ）、倍率色収差（ＣＣ）を示す図である。
【図５】本発明の実施例３にかかる撮像光学系の無限遠物点合焦時の光学構成を示す光軸に沿う断面図である。
【図６】実施例３にかかる撮像光学系の無限遠物点合焦時における球面収差（ＳＡ）、非点収差（ＡＳ）、歪曲収差（ＤＴ）、倍率色収差（ＣＣ）を示す図である。
【図７】本発明の実施例４にかかる撮像光学系の無限遠物点合焦時の光学構成を示す光軸に沿う断面図である。
【図８】実施例４にかかる撮像光学系の無限遠物点合焦時における球面収差（ＳＡ）、非点収差（ＡＳ）、歪曲収差（ＤＴ）、倍率色収差（ＣＣ）を示す図である。
【図９】本発明の実施例５にかかる撮像光学系の無限遠物点合焦時の光学構成を示す光軸に沿う断面図である。
【図１０】実施例５にかかる撮像光学系の無限遠物点合焦時における球面収差（ＳＡ）、非点収差（ＡＳ）、歪曲収差（ＤＴ）、倍率色収差（ＣＣ）を示す図である。
【図１１】本発明の実施例６にかかる撮像光学系の無限遠物点合焦時の光学構成を示す光軸に沿う断面図である。
【図１２】実施例６にかかる撮像光学系の無限遠物点合焦時における球面収差（ＳＡ）、非点収差（ＡＳ）、歪曲収差（ＤＴ）、倍率色収差（ＣＣ）を示す図である。
【図１３】本発明による光学系を組み込んだデジタルカメラ４０の外観を示す前方斜視図である。
【図１４】デジタルカメラ４０の後方斜視図である。
【図１５】デジタルカメラ４０の光学構成を示す断面図である。
【図１６】本発明の光学系が対物光学系として内蔵された情報処理装置の一例であるパソコン３００のカバーを開いた状態の前方斜視図である。
【図１７】パソコン３００の撮影光学系３０３の断面図である。
【図１８】パソコン３００の側面図である。
【図１９】本発明の光学系が撮影光学系として内蔵された情報処理装置の一例である携帯電話を示す図であり、（ａ）は携帯電話４００の正面図、（ｂ）は側面図、（ｃ）は撮影光学系４０５の断面図である。
【発明を実施するための形態】
【００１０】
実施形態の撮像光学系について説明する。本実施形態の撮像光学系は、物体側より順に、正の屈折力を有する第１レンズと、負の屈折力を有する第２レンズと、正の屈折力を有する第３レンズと、正の屈折力を有する第４レンズと、負の屈折力を有する第５レンズと、を有し、第４レンズは、像側に凸面を向けたメニスカスレンズであって、最も物体側に絞りが配置され、以下の条件式（１）を満足することを特徴とする。
０．５＜ＴＬ／（２×ＩＨ）＜１．５      （１）
但し、
ＴＬは撮像光学系の全長、
ＩＨは像高、
である。
【００１１】
本実施形態の撮像光学系では、屈折力配置が、物体側から順に正・負・正・正・負となっている。このような屈折力配置を採用することで、撮像光学系の主点の位置を物体側に位置させることができる。その結果、撮像光学系全系の焦点距離に対して、光学系の全長を十分に短くすることが可能となるので、光学系の全長の短縮が実現できる。
【００１２】
また、第４レンズを正屈折力とし、全体で５枚のレンズで光学系を構成することで、軸外光束の発散を第４レンズで抑えることができる。よって、光学系をテレセントリックな状態に近づけつつ、第５レンズの外径を小さくすることができる。また、第４レンズを、像側に凸面を向けたメニスカスレンズにすることで、コマ収差の発生を小さく抑えることができる。
【００１３】
また、本実施形態の撮像光学系では、最も物体側に絞りを配置することで、射出瞳を像面から離すことができる。これにより、軸外主光線の光軸に対する角度を小さくすることができる。その結果、光学系をテレセントリックな状態に近づけつつ、光学系全長の短縮化と、撮像素子周辺部の感度低下を回避することが可能となる。
【００１４】
さらに、本実施形態の撮像光学系は、以下の条件式（１）を満足する。
０．５＜ＴＬ／（２×ＩＨ）＜１．５      （１）
但し、
ＴＬは撮像光学系の全長、
ＩＨは像高、
である。
【００１５】
条件式（１）は、光学系の全長に関する条件式である。なお、ＩＨは、撮像素子の撮像面の対角長の１／２ということもできる。
【００１６】
条件式（１）の下限値を下回ると、光学系の全長をより短くすることができるが、レンズの厚さが薄くなることや、レンズ間の間隔も狭くなる。そのため、レンズの形状（曲率半径や厚み）を自由に変化できる範囲が狭くなるので、収差補正が困難になる。一方、条件式（１）の上限値を上回ると、光学系の全長が長くなってしまう。
【００１７】
ここで、条件式（１）に代えて、以下の条件式（１’）を満足することが好ましい。
０．６＜ＴＬ／（２×ＩＨ）＜１．３      （１’）
また、条件式（１）に代えて、以下の条件式（１’’）を満足することがより好ましい。
０．７５＜ＴＬ／（２×ＩＨ）＜１．００      （１’’）
【００１８】
また、本実施形態の撮像光学系は、以下の条件式（２）を満足することが好ましい。
１．５＜ｆ3／ｆ＜２．５      （２）
但し、
ｆ3は第３レンズの焦点距離、
ｆは撮像光学系全系の焦点距離、
である。
【００１９】
条件式（２）は、軸上色収差を良好に補正するのに好ましい条件である。条件式（２）を満足すると、第３レンズにおける近軸の屈折力を小さく抑えることができるので、軸上色収差の増大を抑制することが可能になる。
【００２０】
条件式（２）の下限値を下回ると、第３レンズの焦点距離が短く（屈折力が大きく）なってしまう。この場合、軸上色収差が増大してしまうので、この軸上色収差の補正が困難になる。一方、条件式（２）の上限値を上回ると、第３レンズの焦点距離が長く（屈折力が小さく）なってしまうので、光学系の全長が長くなってしまう。
【００２１】
ここで、条件式（２）に代えて、以下の条件式（２’）を満足することが好ましい。
１．５＜ｆ3／ｆ＜２．４      （２’）
また、条件式（２）に代えて、以下の条件式（２’’）を満足することがより好ましい。
１．５３＜ｆ3／ｆ＜２．３５      （２’’）
【００２２】
また、本実施形態の撮像光学系では、第３レンズの形状は、物体側に凸面を向けたメニスカス形状であることが好ましい。
【００２３】
光学系を大口径にした場合、軸上色収差が大きく発生する。そこで、第３レンズの形状を上記のようにすることで、軸上色収差の補正を良好に行なうことができる。
【００２４】
また、第３レンズの像側面は、光軸近傍は像側に凹面を向けた形状で、周辺部に像側に凸面を向けた形状を有することが好ましい。
【００２５】
このようにすることで、第３レンズにおける軸外光線の光線高の差、すなわち、物体側面での光線高と像側面での光線高との差が大きくなる。その結果、収差補正、特にコマ収差の良好な補正を、第４レンズで行なうことができる。
【００２６】
また、本実施形態の撮像光学系は、以下の条件式（３）を満足することが好ましい。
２．０＜ｒ7／ｆ＜３．０      （３）
但し、
ｒ7は第３レンズの像側面の近軸曲率半径、
ｆは結像光学系全系の焦点距離、
である。
【００２７】
条件式（３）は、光学系の全長を短くしつつ、諸収差、特にコマ収差を補正するのに好ましい条件式である。
【００２８】
条件式（３）の下限値を下回ると、第３レンズの像側面の近軸曲率半径が小さくなる。この場合、第３レンズの像側面へ入射する光線の角度が急になるため、コマ収差の補正が困難になる。
【００２９】
一方、条件式（３）の上限値を上回ると、第３レンズの物体側面の近軸曲率半径が大きくなる。その結果、第３レンズでの光線の高さと第４レンズでの光線の高さの差が小さくなるので、コマ収差や高次の像面湾曲の補正が困難になる。
【００３０】
ここで、条件式（３）に代えて、以下の条件式（３’）を満足することが好ましい。
２．００＜ｒ7／ｆ＜２．９８      （３’）
また、条件式（３）に代えて、以下の条件式（３’’）を満足することがより好ましい。
２．１０＜ｒ7／ｆ＜２．９５      （３’’）
【００３１】
また、本実施形態の撮像光学系は、以下の条件式（４）を満足することが好ましい。
０．４＜ΣｄL／ｆ＜０．５５      （４）
但し、
ΣｄLは結像光学系のレンズの総厚、
ｆは結像光学系全系の焦点距離、
である。
【００３２】
条件式（４）は、収差の発生を抑えながら、光学系の全長を短縮するための条件式である。条件式（４）を満足すると、レンズの厚みを薄くできるので、隣り合うレンズとの空気間隔を広く取ることができる。その結果、レンズの形状を自由に変化できる範囲が広くなるので、収差を良好に補正できる。なお、ΣｄLは、空気換算しない場合のレンズの総厚である。
【００３３】
条件式（４）の下限値を下回ると、レンズが更に薄くなってしまうため、レンズ面の形状を変えても収差補正を良好に補正することが困難になる。さらに、レンズの製造も困難になる。
【００３４】
一方、条件式（４）の上限値を上回ると、各レンズの厚みが厚くなるので、レンズ面の形状を大きく変えなくても比較的良好に収差補正が行えるようになる。しかしながら、光学系の全長が長くなってしまうため、光学系の全長の短縮化が難しくなる。
【００３５】
ここで、条件式（４）に代えて、以下の条件式（４’）を満足することが好ましい。
０．４２＜ΣｄL／ｆ＜０．５５      （４’）
また、条件式（４）に代えて、以下の条件式（４’’）を満足することがより好ましい。
０．４４＜ΣｄL／ｆ＜０．５４      （４’’）
【００３６】
また、本実施形態の撮像光学系は、以下の条件式（５）を満足することが好ましい。
０．０５＜（ｒ10＋ｒ11）／（ｒ10−ｒ11）＜０．６      （５）
但し、
ｒ10は第５レンズの物体側面の近軸曲率半径、
ｒ11は第５レンズの像側面の近軸曲率半径、
である。
【００３７】
条件式（５）は、第５レンズと撮像素子との間隔、特に周辺部における両者の間隔を十分に確保し、光学系をよりテレセントリックな状態に近づけるのに好ましい条件である。条件式（５）を満足することで、特に、撮像素子周辺部において、第５レンズと撮像素子との距離を十分に確保することができる。また、周辺光量の低下を防止できる。
【００３８】
条件式（５）の下限値を下回ると、第５レンズの物体側面の負の屈折力が大きくなりすぎる。この場合、第５レンズの主点の位置が物体側に位置するため、バックフォーカス長が短くなってしまう。
【００３９】
一方、条件式（５）の上限値を上回ると、第５レンズの像側面の近軸曲率半径が大きくなりすぎる。この場合、有効口径付近において、第５レンズの像側面を物体側に位置させることができない。その結果、撮像素子周辺部において、第５レンズ像側面と撮像素子との間隔が短くなってしまう。
【００４０】
なお、条件式（５）を満足しない場合は、光学系をテレセントリックな状態に近づけることが難しくなるので、周辺光量の低下を回避することが困難になる。
【００４１】
ここで、条件式（５）に代えて、以下の条件式（５’）を満足することが好ましい。
０．０５＜（ｒ10＋ｒ11）／（ｒ10−ｒ11）＜０．５５      （５’）
また、条件式（５）に代えて、以下の条件式（５’’）を満足することがより好ましい。
０．０５５＜（ｒ10＋ｒ11）／（ｒ10−ｒ11）＜０．５４０      （５’’）
【００４２】
また、本実施形態の撮像光学系では、絞りが第１レンズの物体側面頂よりも像側に位置することが好ましい。このようにすることで、軸外光束の上側光線が第１レンズの物体側面に入射する際に、物体側面における入射角を小さくできる。そのため、コマ収差の発生を小さくすることができる。
【００４３】
また、本実施形態の撮像光学系では、第１レンズ、第２レンズ、第３レンズ、第４レンズ及び第５レンズは、いずれも樹脂により形成されていることが好ましい。このようにすることで、撮像光学系を安価に提供することができる。
【００４４】
また、本実施形態の撮像装置は、上記の撮像光学系と撮像素子を備えることを特徴とする。比較的小さいＦナンバーの光学系でありながら、光学系の全長を短く、レンズ径を小さく保ち、諸収差、特にコマ収差が良好に補正された撮像光学系を用いた撮像装置を実現できる。
【００４５】
また、本実施形態の撮像装置では、撮像光学系と撮像素子が一体化していることが好ましい。撮像光学系と撮像素子を一体化させることで、撮像光学系による光学像を電気信号化することができる。また、画像中央部と周辺部で画像の明るさの変化を軽減できる電子撮像素子を選択することで、小型且つ高性能な撮像装置を提供できる。
【００４６】
また、本実施形態の撮像装置では、撮像光学系がオートフォーカス機構と一体化していることが好ましい。オートフォーカス機構を一体化させることで、あらゆる被写体距離において、合焦することができる。
【００４７】
以下に、撮像光学系及び撮像装置の実施例を図面に基づいて詳細に説明する。なお、この実施例によりこの発明が限定されるものではない。また、屈折力の正負は、近軸曲率半径に基づく。また、絞り（実施例では開口絞り）は最も物体側に位置している。ただし、上述のように、絞りは第１レンズの像側面よりも物体側、より具体的には、第１レンズの物体側面と像側面の間に位置している。このような絞りの位置も、「最も物体側に絞りを配置する」に含まれるものとする。
【００４８】
次に、実施例１にかかる撮像光学系について説明する。図１は実施例１にかかる撮像光学系の無限遠物点合焦時の光学構成を示す光軸に沿う断面図である。
【００４９】
図２は実施例１にかかる撮像光学系の無限遠物点合焦時における収差図であって、”ＦＩＹ”は像高である。なお、収差図における記号は、後述の実施例においても共通である。
【００５０】
また、これらの収差図において、（ａ）、（ｂ）、（ｃ）、（ｄ）は、それぞれ、球面収差（ＳＡ）、非点収差（ＡＳ）、歪曲収差（ＤＴ）、倍率色収差（ＣＣ）を示している。
【００５１】
実施例１の撮像光学系は、図１に示すように、物体側より順に、開口絞りＳと、正屈折力の第１レンズＬ１と、負屈折力の第２レンズＬ２と、正屈折力の第３レンズＬ３と、正屈折力の第４レンズＬ４と、負屈折力の第５レンズＬ５と、を有している。なお、以下全ての実施例において、レンズ断面中、ＣＧはカバーガラス、Ｉは撮像素子の撮像面を示している。
【００５２】
第１レンズＬ１は、両凸正レンズである。第２レンズＬ２は、平凹負レンズである。第３レンズは、物体側に凸面を向けた正メニスカスレンズである。第４レンズＬ４は、像側に凸面を向けた正メニスカスレンズである。第５レンズＬ５は、両凹負レンズである。
【００５３】
第３レンズの像側のレンズ面は、光軸近傍は像側に凹面を向けた形状で、周辺部に像側に凸面を向けた形状を有する。また、第１レンズＬ１〜第５レンズＬ５は、いずれも樹脂により形成されている。
【００５４】
非球面は、第１レンズＬ１〜第５レンズＬ５の全てのレンズの両面に設けられている。
【００５５】
次に、実施例２にかかる撮像光学系について説明する。図３は実施例２にかかる撮像光学系の無限遠物点合焦時の光学構成を示す光軸に沿う断面図である。また、図４は実施例２にかかる撮像光学系の無限遠物点合焦時における収差図である。
【００５６】
実施例２の撮像光学系は、図３に示すように、物体側より順に、開口絞りＳと、正屈折力の第１レンズＬ１と、負屈折力の第２レンズＬ２と、正屈折力の第３レンズＬ３と、正屈折力の第４レンズＬ４と、負屈折力の第５レンズＬ５と、を有している。
【００５７】
第１レンズＬ１は、両凸正レンズである。第２レンズＬ２は、平凹負レンズである。第３レンズは、物体側に凸面を向けた正メニスカスレンズである。第４レンズＬ４は、像側に凸面を向けた正メニスカスレンズである。第５レンズＬ５は、両凹負レンズである。
【００５８】
第３レンズの像側のレンズ面は、光軸近傍は像側に凹面を向けた形状で、周辺部に像側に凸面を向けた形状を有する。また、第１レンズＬ１〜第５レンズＬ５は、いずれも樹脂により形成されている。
【００５９】
非球面は、第１レンズＬ１〜第５レンズＬ５の全てのレンズの両面に設けられている。
【００６０】
次に、実施例３にかかる撮像光学系について説明する。図５は実施例３にかかる撮像光学系の無限遠物点合焦時の光学構成を示す光軸に沿う断面図である。また、図６は実施例３にかかる撮像光学系の無限遠物点合焦時における収差図である。
【００６１】
実施例３の撮像光学系は、図５に示すように、物体側より順に、開口絞りＳと、正屈折力の第１レンズＬ１と、負屈折力の第２レンズＬ２と、正屈折力の第３レンズＬ３と、正屈折力の第４レンズＬ４と、負屈折力の第５レンズＬ５と、を有している。
【００６２】
第１レンズＬ１は、両凸正レンズである。第２レンズＬ２は、平凹負レンズである。第３レンズは、物体側に凸面を向けた正メニスカスレンズである。第４レンズＬ４は、像側に凸面を向けた正メニスカスレンズである。第５レンズＬ５は、両凹負レンズである。
【００６３】
第３レンズの像側のレンズ面は、光軸近傍は像側に凹面を向けた形状で、周辺部に像側に凸面を向けた形状を有する。また、第１レンズＬ１〜第５レンズＬ５は、いずれも樹脂により形成されている。
【００６４】
非球面は、第１レンズＬ１〜第５レンズＬ５の全てのレンズの両面に設けられている。
【００６５】
次に、実施例４にかかる撮像光学系について説明する。図７は実施例４にかかる撮像光学系の無限遠物点合焦時の光学構成を示す光軸に沿う断面図である。また、図８は実施例４にかかる撮像光学系の無限遠物点合焦時における収差図である。
【００６６】
実施例４の撮像光学系は、図７に示すように、物体側より順に、開口絞りＳと、正屈折力の第１レンズＬ１と、負屈折力の第２レンズＬ２と、正屈折力の第３レンズＬ３と、正屈折力の第４レンズＬ４と、負屈折力の第５レンズＬ５と、を有している。
【００６７】
第１レンズＬ１は、両凸正レンズである。第２レンズＬ２は、平凹負レンズである。第３レンズは、物体側に凸面を向けた正メニスカスレンズである。第４レンズＬ４は、像側に凸面を向けた正メニスカスレンズである。第５レンズＬ５は、両凹負レンズである。
【００６８】
第３レンズの像側のレンズ面は、光軸近傍は像側に凹面を向けた形状で、周辺部に像側に凸面を向けた形状を有する。また、第１レンズＬ１〜第５レンズＬ５は、いずれも樹脂により形成されている。
【００６９】
非球面は、第１レンズＬ１〜第５レンズＬ５の全てのレンズの両面に設けられている。
【００７０】
次に、実施例５にかかる撮像光学系について説明する。図９は実施例５にかかる撮像光学系の無限遠物点合焦時の光学構成を示す光軸に沿う断面図である。また、図１０は実施例５にかかる撮像光学系の無限遠物点合焦時における収差図である。
【００７１】
実施例５の撮像光学系は、図９に示すように、物体側より順に、開口絞りＳと、正屈折力の第１レンズＬ１と、負屈折力の第２レンズＬ２と、正屈折力の第３レンズＬ３と、正屈折力の第４レンズＬ４と、負屈折力の第５レンズＬ５と、を有している。
【００７２】
第１レンズＬ１は、両凸正レンズである。第２レンズＬ２は、平凹負レンズである。第３レンズは、物体側に凸面を向けた正メニスカスレンズである。第４レンズＬ４は、像側に凸面を向けた正メニスカスレンズである。第５レンズＬ５は、両凹負レンズである。
【００７３】
第３レンズの像側のレンズ面は、光軸近傍は像側に凹面を向けた形状で、周辺部に像側に凸面を向けた形状を有する。また、第１レンズＬ１〜第５レンズＬ５は、いずれも樹脂により形成されている。
【００７４】
非球面は、第１レンズＬ１〜第５レンズＬ５の全てのレンズの両面に設けられている。
【００７５】
次に、実施例６にかかる撮像光学系について説明する。図１１は実施例６にかかる撮像光学系の無限遠物点合焦時の光学構成を示す光軸に沿う断面図である。また、図１２は実施例６にかかる撮像光学系の無限遠物点合焦時における収差図である。
【００７６】
実施例６の撮像光学系は、図１１に示すように、物体側より順に、開口絞りＳと、正屈折力の第１レンズＬ１と、負屈折力の第２レンズＬ２と、正屈折力の第３レンズＬ３と、正屈折力の第４レンズＬ４と、負屈折力の第５レンズＬ５と、を有している。
【００７７】
第１レンズＬ１は、両凸正レンズである。第２レンズＬ２は、平凹負レンズである。第３レンズは、物体側に凸面を向けた正メニスカスレンズである。である。第４レンズＬ４は、像側に凸面を向けた正メニスカスレンズである。第５レンズＬ５は、両凹負レンズである。
【００７８】
第３レンズの像側のレンズ面は、光軸近傍は像側に凹面を向けた形状で、周辺部に像側に凸面を向けた形状を有する。また、第１レンズＬ１〜第５レンズＬ５は、いずれも樹脂により形成されている。
【００７９】
非球面は、第１レンズＬ１〜第５レンズＬ５の全てのレンズの両面に設けられている。
【００８０】
次に、上記各実施例の撮像光学系を構成する光学部材の数値データを掲げる。なお、各実施例の数値データにおいて、ｒ１、ｒ２、…は各レンズ面の曲率半径、ｄ１、ｄ２、…は各レンズの肉厚または空気間隔、ｎｄ１、ｎｄ２、…は各レンズのｄ線での屈折率、νｄ１、νｄ２、…は各レンズのアッべ数、＊印は非球面、焦点距離は結像光学系全系の焦点距離、ｆｂはバックフォーカスを示している。また、全長は、レンズ最前面からレンズ最終面までの距離にバックフォーカスを加えたものである。ｆｂ（バックフォーカス）は、レンズ最終面から近軸像面までの距離を空気換算して表したものである。
【００８１】
また、非球面形状は、光軸方向をｚ、光軸に直交する方向をｙにとり、円錐係数をｋ、非球面係数をＡ４、Ａ６、Ａ８、Ａ１０としたとき、次の式で表される。
ｚ＝（ｙ2／ｒ）／［１＋｛１−（１＋ｋ）（ｙ／ｒ）2｝1/2］
＋Ａ４ｙ4＋Ａ６ｙ6＋Ａ８ｙ8＋Ａ１０ｙ10
また、ｅは１０のべき乗を表している。なお、これら諸元値の記号は後述の実施例の数値データにおいても共通である。
【００８２】
数値実施例１
単位ｍｍ
面データ
面番号      r          d         nd       νd
物面      ∞         ∞
1（絞り） ∞        -0.22
2*        1.800      0.48     1.53048    55.71
3*      -14.276      0.12
4*        ∞         0.30     1.63415    23.96
5*        2.507      0.32
6*        3.034      0.42     1.53048    55.71
7*        8.897      0.64
8*       -8.753      0.52     1.53048    55.71
9*       -1.100      0.40
10*       -2.340      0.31     1.53048    55.71
11*        1.690      0.55
12         ∞         0.30     1.51633    64.14
13         ∞         0.22
像面       ∞
非球面データ
第２面
k=-0.067
A4=-3.50455e-04,A6=8.68103e-04,A8=8.13173e-03,A10=5.69973e-03
第３面
k=0.000
A4=8.62722e-03,A6=1.34334e-01,A8=-1.87210e-01,A10=1.01351e-01
第４面
k=0.000
A4=-5.94061e-02,A6=3.07008e-01,A8=-4.35985e-01,A10=2.06172e-01
第５面
k=-17.833
A4=1.09434e-02,A6=1.59267e-01,A8=-2.14241e-01,A10=7.38729e-02,A12=7.20984e-03
第６面
k=-42.997
A4=2.22929e-02,A6=-1.30598e-01,A8=1.26249e-01,A10=-3.38963e-02,A12=-3.04189e-03
第７面
k=-0.996
A4=-9.07469e-02,A6=2.63975e-02,A8=-5.99227e-02,A10=4.26996e-02,A12=-1.44670e-03
第８面
k=0.000
A4=-4.69184e-02,A6=4.17564e-03,A8=1.75578e-02,A10=-2.83279e-02,A12=7.97082e-03
第９面
k=-4.100
A4=-9.99272e-02,A6=7.52981e-02,A8=-2.13141e-02,A10=4.10666e-03,A12=-5.47711e-04
第１０面
k=-6.580
A4=-7.55503e-02,A6=2.32771e-02,A8=3.40373e-04,A10=-7.79850e-04,A12=9.01527e-05,
A14=-2.69832e-06
第１１面
k=-12.889
A4=-6.87856e-02,A6=2.63312e-02,A8=-8.77805e-03,A10=1.73350e-03,A12=-2.05936e-04,A14=1.14642e-05
半画角            39.8
焦点距離           3.74
fb (in air)        0.97
全長 (in air)      4.47
【００８３】
数値実施例２
単位ｍｍ
面データ
面番号      r          d         nd       νd
物面      ∞         ∞
1（絞り） ∞        -0.22
2*        1.823      0.46     1.53048    55.71
3*      -18.910      0.14
4*        ∞         0.30     1.63415    23.96
5*        2.391      0.27
6*        2.565      0.46     1.53048    55.71
7*       10.769      0.70
8*       -7.435      0.45     1.53048    55.71
9*       -1.107      0.37
10*       -2.187      0.31     1.53048    55.71
11*        1.650      0.55
12         ∞         0.30     1.51633    64.14
13         ∞         0.26
像面       ∞
非球面データ
第２面
k=-0.026
A4=2.12528e-03,A6=-1.70976e-03,A8=3.36107e-03,A10=-1.13367e-03
第３面
k=0.000
A4=1.25153e-02,A6=1.35944e-01,A8=-1.94045e-01,A10=8.74649e-02
第４面
k=0.000
A4=-5.53431e-02,A6=3.15721e-01,A8=-4.32922e-01,A10=1.98269e-01
第５面
k=-18.600
A4=1.16418e-02,A6=1.66793e-01,A8=-2.05987e-01,A10=7.69319e-02,A12=1.61737e-03
第６面
k=-32.522
A4=3.51560e-02,A6=-1.28433e-01,A8=1.24902e-01,A10=-3.43110e-02,A12=-1.10491e-03
第７面
k=1.661
A4=-9.03413e-02,A6=2.92763e-02,A8=-5.91969e-02,A10=4.20709e-02,A12=-2.16715e-03
第８面
k=0.000
A4=-4.79186e-02,A6=-7.43705e-04,A8=1.57914e-02,A10=-2.85907e-02,A12=8.09489e-03
第９面
k=-4.519
A4=-9.75737e-02,A6=7.48277e-02,A8=-2.14032e-02,A10=4.11549e-03,A12=-5.32144e-04
第１０面
k=-6.471
A4=-7.49255e-02,A6=2.33301e-02,A8=3.42532e-04,A10=-7.80588e-04,A12=8.97567e-05,
A14=-2.84149e-06
第１１面
k=-13.814
A4=-7.02329e-02,A6=2.64395e-02,A8=-8.74225e-03,A10=1.73650e-03,A12=-2.06110e-04,A14=1.13477e-05
半画角            38.8
焦点距離           3.85
fb (in air)        1.00
全長 (in air)      4.47
【００８４】
数値実施例３
単位ｍｍ
面データ
面番号      r          d         nd       νd
物面      ∞         ∞
1（絞り） ∞        -0.28
2*        1.763      0.42     1.53048    55.71
3*      -70.382      0.18
4*        ∞         0.28     1.63415    23.96
5*        2.440      0.23
6*        2.560      0.39     1.53048    55.71
7*       10.768      0.81
8*       -6.196      0.42     1.53048    55.71
9*       -1.290      0.52
10*       -2.256      0.29     1.53048    55.71
11*        1.961      0.55
12         ∞         0.30     1.51633    64.14
13         ∞         0.17
像面       ∞
非球面データ
第２面
k=-0.030
A4=-9.31991e-03,A6=3.12876e-02,A8=-3.97384e-02,A10=7.92459e-02
第３面
k=0.000
A4=1.50380e-02,A6=1.70570e-01,A8=-1.63996e-01,A10=1.57748e-01
第４面
k=0.000
A4=-1.72200e-02,A6=3.49432e-01,A8=-3.58894e-01,A10=1.06514e-01
第５面
k=-22.077
A4=2.89900e-02,A6=2.38100e-01,A8=-2.11742e-01,A10=1.39442e-02,A12=-2.79762e-03
第６面
k=-31.260
A4=-1.61576e-02,A6=-1.05530e-01,A8=1.52117e-01,A10=5.66068e-03,A12=-4.86789e-02
第７面
k=-170.624
A4=-9.56875e-02,A6=1.77768e-02,A8=-5.06547e-02,A10=7.21840e-02,A12=-1.19626e-02
第８面
k=0.000
A4=1.09936e-02,A6=-3.49514e-02,A8=2.98815e-02,A10=-2.12430e-02,A12=4.55102e-03
第９面
k=-5.240
A4=-6.49492e-02,A6=7.11477e-02,A8=-2.32922e-02,A10=3.82031e-03,A12=-4.18025e-04
第１０面
k=-3.190
A4=-7.03145e-02,A6=2.40238e-02,A8=2.28365e-04,A10=-8.24963e-04,A12=8.57657e-05,
A14=-2.79989e-06  
第１１面
k=-17.470
A4=-7.36295e-02,A6=2.72187e-02,A8=-8.65030e-03,A10=1.73042e-03,A12=-2.09700e-04,A14=1.08011e-05  
半画角            36.3
焦点距離           4.00
fb (in air)        0.91
全長 (in air)      4.47
【００８５】
数値実施例４
単位ｍｍ
面データ
面番号      r          d         nd       νd
物面      ∞         ∞
1（絞り） ∞        -0.19
2*        2.265      0.46     1.53048    55.71
3*       -7.815      0.15
4*        ∞         0.30     1.63415    23.96
5*        2.313      0.32
6*        2.565      0.45     1.53048    55.71
7*       10.768      0.68
8*       -9.330      0.55     1.53048    55.71
9*       -1.075      0.39
10*       -2.147      0.30     1.53048    55.71
11*        1.896      0.55
12         ∞         0.30     1.51633    64.14
13         ∞         0.44
像面       ∞
非球面係数
第２面
k=0.067
A4=6.22689e-03,A6=1.00217e-02,A8=-1.03713e-04,A10=7.13189e-04
第３面
k=0.000
A4=2.57374e-02,A6=1.59908e-01,A8=-2.11896e-01,A10=6.13119e-02
第４面
k=0.000
A4=-9.19699e-02,A6=3.27238e-01,A8=-4.04625e-01,A10=1.02229e-01
第５面
k=-19.272
A4=-1.64795e-02,A6=1.46338e-01,A8=-2.05354e-01,A10=7.45224e-02,A12=-1.13963e-02
第６面
k=-29.871
A4=3.50064e-02,A6=-1.26351e-01,A8=1.21703e-01,A10=-3.60419e-02,A12=1.53360e-03
第７面
k=-15.448
A4=-9.10170e-02,A6=2.80349e-02,A8=-6.18284e-02,A10=4.12870e-02,A12=-1.52245e-03
第８面
k=0.000
A4=-4.24855e-02,A6=1.13239e-03,A8=1.87840e-02,A10=-2.76789e-02,A12=7.77980e-03
第９面
k=-3.858
A4=-9.69825e-02,A6=7.57960e-02,A8=-2.10361e-02,A10=4.21519e-03,A12=-5.15564e-04
第１０面
k=-7.054
A4=-7.41543e-02,A6=2.34448e-02,A8=3.61515e-04,A10=-7.77666e-04,A12=9.00354e-05,
A14=-2.85599e-06
第１１面
k=-15.885
A4=-7.03423e-02,A6=2.70188e-02,A8=-8.65997e-03,A10=1.74296e-03,A12=-2.06315e-04,
A14=1.11274e-05
半画角            36.2
焦点距離           3.90
fb (in air)        1.19
全長 (in air)      4.80
【００８６】
数値実施例５
単位ｍｍ
面データ
面番号      r          d         nd       νd
物面      ∞         ∞
1（絞り） ∞        -0.18
2*        1.658      0.49     1.53048    55.71
3*      -10.001      0.08
4*        ∞         0.30     1.63415    23.96
5*        2.509      0.27
6*        2.878      0.38     1.53048    55.71
7*       10.768      0.55
8*       -3.464      0.48     1.53048    55.71
9*       -1.197      0.48
10*       -4.000      0.30     1.53048    55.71
11*        1.250      0.55
12*         ∞        0.30     1.51633    64.14
13*         ∞        0.04
像面        ∞
非球面データ
第２面
k=-0.604
A4=-7.64923e-03,A6=-6.61202e-02,A8=-3.82529e-02,A10=3.62983e-03
第３面
k=0.000
A4=-9.76822e-02,A6=1.66073e-01,A8=-1.97831e-01,A10=7.57434e-02
第４面
k=0.000
A4=-8.85508e-02,A6=4.22964e-01,A8=-3.59857e-01,A10=1.48005e-01
第５面
k=-19.882
A4=8.01115e-02,A6=1.72200e-01,A8=-1.83215e-01,A10=1.29753e-01,A12=-3.02117e-02
第６面
k=-31.766
A4=3.06089e-02,A6=-8.61840e-02,A8=1.24178e-01,A10=-5.67157e-02,A12=1.18947e-02
第７面
k=36.593
A4=-8.35223e-02,A6=4.26093e-02,A8=-6.92873e-02,A10=5.44965e-02,A12=-4.09131e-03
第８面
k=0.000
A4=-2.29140e-02,A6=-5.16946e-02,A8=3.35788e-02,A10=-1.97439e-02,A12=-4.94338e-03
第９面
k=-6.269
A4=-9.67204e-02,A6=7.41646e-02,A8=-2.22276e-02,A10=3.92060e-03,A12=-5.56978e-04
第１０面
k=0.264
A4=-7.70196e-02,A6=2.35650e-02,A8=3.70749e-04,A10=-7.90110e-04,A12=8.71061e-05,
A14=-2.26503e-06  
第１１面
k=-8.819
A4=-7.18921e-02,A6=2.68757e-02,A8=-8.85859e-03,A10=1.76551e-03,A12=-2.03412e-04,A14=9.98685e-06  
半画角            39.5
焦点距離           3.68
fb (in air)        1.11
全長 (in air)      4.10
【００８７】
数値実施例６
単位ｍｍ
面データ
面番号      r          d         nd       νd
物面      ∞         ∞
1（絞り） ∞        -0.28
2*        1.636      0.45     1.53048    55.71
3*      -20.000      0.12
4*        ∞         0.30     1.63415    23.96
5*        2.511      0.29
6*        3.101      0.45     1.53048    55.71
7*        8.333      0.54
8*       -4.840      0.50     1.53048    55.71
9*       -1.325      0.57
10*       -2.439      0.35     1.53048    55.71
11*        2.147      0.55
12         ∞         0.30     1.51633    64.14
13         ∞         0.08
像面       ∞
非球面データ
第２面
k=-0.038
A4=-1.06844e-02,A6=4.74155e-02,A8=-8.82139e-02,A10=1.16522e-01
第３面
k=0.000
A4=8.54837e-03,A6=2.04101e-01,A8=-2.15759e-01,A10=1.92020e-01
第４面
k=0.000
A4=-2.99553e-02,A6=3.61917e-01,A8=-3.75964e-01,A10=1.24289e-01
第５面
k=-25.864
A4=7.73761e-02,A6=1.68660e-01,A8=-2.43279e-01,A10=1.57431e-01,A12=-7.69841e-02  第６面
k=-47.150
A4=-5.76778e-03,A6=-9.87599e-02,A8=1.30998e-01,A10=1.00235e-03,A12=-3.38219e-02
第７面
k=-49.474
A4=-1.07549e-01,A6=3.15557e-02,A8=-6.24924e-02,A10=5.68501e-02,A12=-4.09334e-03
第８面
k=0.000
A4=-5.69153e-03,A6=-4.80032e-02,A8=2.67324e-02,A10=-2.40212e-02,A12=1.95764e-03
第９面
k=-5.246
A4=-8.51151e-02,A6=7.48039e-02,A8=-2.46349e-02,A10=3.61251e-03,A12=-2.89340e-04
第１０面
k=-1.827
A4=-6.65919e-02,A6=2.32721e-02,A8=1.78814e-04,A10=-9.02923e-04,A12=6.93806e-05,
A14=8.04271e-06  
第１１面
k=-18.037
A4=-7.53144e-02,A6=2.69268e-02,A8=-8.86936e-03,A10=1.77280e-03,A12=-2.03990e-04,A14=9.36126e-06  
半画角            36.9
焦点距離           3.90
fb (in air)        0.83
全長 (in air)      4.40
【００８８】
次に、各実施例における条件式（１）〜（５）の値を掲げる。
条件式                       実施例１    実施例２    実施例３
(1) TL/(2×IH)                    0.74        0.74        0.78
(2) f3/f                          2.25        1.61        1.55
(3) r7/f                          2.38        2.80        2.69
(4) ΣdL/f                        0.54        0.52        0.45
(5) (r10+r11)/(r10-r11)           0.16        0.14        0.07
条件式                       実施例４    実施例５     実施例６
(1) TL/(2×IH)                    0.86        0.64        0.77
(2) f3/f                          1.59        1.97        2.31
(3) r7/f                          2.76        2.93        2.14
(4) ΣdL/f                        0.53        0.53        0.53
(5) (r10+r11)/(r10-r11)           0.06        0.52        0.06
【００８９】
さて、以上のような本発明の結像（撮像）光学系は、物体の像をＣＣＤやＣＭＯＳなどの電子撮像素子で撮影する撮影装置、とりわけデジタルカメラやビデオカメラ、情報処理装置の例であるパソコン、電話、携帯端末、特に持ち運びに便利な携帯電話等に用いることができる。以下に、その実施形態を例示する。
【００９０】
図１３〜図１５に本発明による結像光学系をデジタルカメラの撮影光学系４１に組み込んだ構成の概念図を示す。図１３はデジタルカメラ４０の外観を示す前方斜視図、図１４は同後方斜視図、図１５はデジタルカメラ４０の光学構成を示す断面図である。
【００９１】
デジタルカメラ４０は、この例の場合、撮影用光路４２を有する撮影光学系４１、ファインダー用光路４４を有するファインダー光学系４３、シャッターボタン４５、フラッシュ４６、液晶表示モニター４７等を含む。そして、撮影者が、カメラ４０の上部に配置されたシャッターボタン４５を押圧すると、それに連動して撮影光学系４１、例えば実施例１の撮像光学系４８を通して撮影が行われる。
【００９２】
撮影光学系４１によって形成された物体像は、ＣＣＤ４９の撮像面上に形成される。このＣＣＤ４９で受光された物体像は、画像処理手段５１を介し、電子画像としてカメラ背面に設けられた液晶表示モニター４７に表示される。また、この画像処理手段５１にはメモリ等が配置され、撮影された電子画像を記録することもできる。なお、このメモリは画像処理手段５１と別体に設けてもよいし、フレキシブルディスクやメモリーカード、ＭＯ等により電子的に記録書込を行うように構成してもよい。
【００９３】
さらに、ファインダー用光路４４上には、ファインダー用対物光学系５３が配置されている。このファインダー用対物光学系５３は、カバーレンズ５４、第１プリズム１０、開口絞り２、第２プリズム２０、フォーカス用レンズ６６からなる。このファインダー用対物光学系５３によって、結像面６７上に物体像が形成される。この物体像は、像正立部材であるポロプリズム５５の視野枠５７上に形成される。このポロプリズム５５の後方には、正立正像にされた像を観察者眼球Ｅに導く接眼光学系５９が配置されている。
【００９４】
このように構成されたデジタルカメラ４０によれば、撮影光学系４１の構成枚数を少なくした小型化・薄型化の撮像光学系を有する電子撮像装置が実現できる。なお、本発明は、上述した沈胴式のデジタルカメラに限られず、屈曲光学系を採用する折り曲げ式のデジタルカメラにも適用できる。
また、デジタルカメラ４０は、撮影光学系４１に一体化されたオートフォーカス機構５００を備えている。オートフォーカス機構５００を搭載することによって、あらゆる被写体距離において合焦することができる。
【００９５】
また、撮影光学系４１と電子撮像素子チップ（電子撮像素子）とを一体化したことが望ましい。
電子撮像素子を一体化することで、撮像光学系による光学像を電気信号化することができる。また、画像中央部と周辺部で画像の明るさの変化を軽減できる電子撮像素子を選択し、小型且つ高性能なデジタルカメラ（撮像装置）を提供できる。
【００９６】
次に、本発明の撮像光学系が対物光学系として内蔵された情報処理装置の一例であるパソコンを図１６〜図１８に示す。図１６はパソコン３００のカバーを開いた状態の前方斜視図、図１７はパソコン３００の撮影光学系３０３の断面図、図１８は図１６の側面図である。図１６〜図１８に示されるように、パソコン３００は、キーボード３０１と、情報処理手段や記録手段と、モニター３０２と、撮影光学系３０３とを有している。
【００９７】
ここで、キーボード３０１は、外部から操作者が情報を入力するためのものである。情報処理手段や記録手段は、図示を省略している。モニター３０２は、情報を操作者に表示するためのものである。撮影光学系３０３は、操作者自身や周辺の像を撮影するためのものである。モニター３０２は、液晶表示素子やＣＲＴディスプレイ等であってよい。液晶表示素子としては、図示しないバックライトにより背面から照明する透過型液晶表示素子や、前面からの光を反射して表示する反射型液晶表示素子がある。また、図中、撮影光学系３０３は、モニター３０２の右上に内蔵されているが、その場所に限らず、モニター３０２の周囲や、キーボード３０１の周囲のどこであってもよい。
【００９８】
この撮影光学系３０３は、撮影光路３０４上に、例えば実施例１の撮像光学系からなる対物光学系１００と、像を受光する電子撮像素子チップ１６２とを有している。これらはパソコン３００に内蔵されている。
【００９９】
鏡枠の先端には、対物光学系１００を保護するためのカバーガラス１０２が配置されている。また、電子撮像素子チップ１６２の前面側にはカバーガラスＣＧが配置されている。
電子撮像素子チップ１６２で受光された物体像は、端子１６６を介して、パソコン３００の処理手段に入力される。そして、最終的に、物体像は電子画像としてモニター３０２に表示される。図１６には、その一例として、操作者が撮影した画像３０５が示されている。また、この画像３０５は、処理手段を介し、遠隔地から通信相手のパソコンに表示されることも可能である。遠隔地への画像伝達は、インターネットや電話を利用する。
また、パソコン３００は、対物光学系１００（撮像光学系）に一体化されたオートフォーカス機構５００を備えている。オートフォーカス機構５００を搭載することによって、あらゆる被写体距離において合焦することができる。
【０１００】
また、対物光学系１００（撮像光学系）と電子撮像素子チップ１６２（電子撮像素子）とを一体化したことが望ましい。
電子撮像素子を一体化することで、撮像光学系による光学像を電気信号化することができる。また、画像中央部と周辺部で画像の明るさの変化を軽減できる電子撮像素子を選択し、小型且つ高性能なパソコン（撮像装置）を提供できる。
【０１０１】
次に、本発明の撮像光学系が撮影光学系として内蔵された情報処理装置の一例である電話、特に持ち運びに便利な携帯電話を図１９に示す。図１９（ａ）は携帯電話４００の正面図、図１９（ｂ）は側面図、図１９（ｃ）は撮影光学系４０５の断面図である。図１９（ａ）〜（ｃ）に示されるように、携帯電話４００は、マイク部４０１と、スピーカ部４０２と、プッシュボタン４０３と、モニター４０４と、撮影光学系４０５と、アンテナ４０６と、処理手段とを有している。
【０１０２】
ここで、マイク部４０１は、操作者の声を情報として入力するためのものである。スピーカ部４０２は、通話相手の声を出力するためのものである。プッシュボタン４０３は、操作者が情報を入力するためのものである。モニター４０４は、操作者自身や通話相手等の撮影像や、電話番号等の情報を表示するためのものである。アンテナ４０６は、通信電波の送信と受信を行うためのものである。処理手段（不図示）は、画像情報や通信情報、入力信号等の処理を行うためのものである。
【０１０３】
ここで、モニター４０４は液晶表示素子である。また、図中、各構成の配置位置は、特にこれらに限られない。この撮影光学系４０５は、撮影光路４０７上に配された対物光学系１００と、物体像を受光する電子撮像素子チップ１６２とを有している。対物光学系１００としては、例えば実施例１の撮像光学系が用いられる。これらは、携帯電話４００に内蔵されている。
【０１０４】
鏡枠の先端には、対物光学系１００を保護するためのカバーガラス１０２が配置されている。
電子撮影素子チップ１６２で受光された物体像は、端子１６６を介して、図示していない画像処理手段に入力される。そして、最終的に物体像は、電子画像としてモニター４０４に、又は、通信相手のモニターに、又は、両方に表示される。また、処理手段には信号処理機能が含まれている。通信相手に画像を送信する場合、この機能により、電子撮像素子チップ１６２で受光された物体像の情報を、送信可能な信号へと変換する。
また、携帯電話４００は、対物光学系１００（撮像光学系）に一体化されたオートフォーカス機構５００を備えている。オートフォーカス機構５００を搭載することによって、あらゆる被写体距離において合焦することができる。
【０１０５】
また、対物光学系１００（撮像光学系）と電子撮像素子チップ１６２（電子撮像素子）とを一体化することが望ましい。
電子撮像素子を一体化することで、撮像光学系による光学像を電気信号化することができる。また、画像中央部と周辺部で画像の明るさの変化を軽減できる電子撮像素子を選択し、小型且つ高性能な携帯電話（撮像装置）を提供できる。
【０１０６】
なお、本発明は、その趣旨を逸脱しない範囲で様々な変形例をとることができる。
【産業上の利用可能性】
【０１０７】
以上のように、本発明は、比較的小さいＦナンバーの光学系でありながら、光学系の全長を短く、レンズ径を小さく保ち、諸収差、特にコマ収差が良好に補正された撮像光学系、およびそれを用いた撮像装置に適している。
【符号の説明】
【０１０８】
Ｌ１  第１レンズ
Ｌ２  第２レンズ
Ｌ３  第３レンズ
Ｌ４  第４レンズ
Ｌ５  第５レンズ
ＣＧ  カバーガラス
Ｉ    撮像面
Ｓ    開口絞り
４０  デジタルカメラ
４１  撮影光学系
４２  撮影用光路
４３  ファインダー光学系
４４  ファインダー用光路
４５  シャッターボタン
４６  フラッシュ
４７  液晶表示モニター
４８  レンズ
４９  ＣＣＤ
５０  撮像面
５１  処理手段
５３  ファインダー用対物光学系
５５  ポロプリズム
５７  視野枠
５９  接眼光学系
６６  フォーカス用レンズ
６７  結像面
１００  対物光学系
１０２  カバーガラス
１６２  電子撮像素子チップ
１６６  端子
３００  パソコン
３０１  キーボード
３０２  モニター
３０３  撮影光学系
３０４  撮影光路
３０５  画像
４００  携帯電話
４０１  マイク部
４０２  スピーカ部
４０３  プッシュボタン
４０４  モニター
４０５  撮影光学系
４０６  アンテナ
４０７  撮影光路
５００  オートフォーカス機構
【図１】
2013225100.tif 000003
【図２】
2013225100.tif 000004
【図３】
2013225100.tif 000005
【図４】
2013225100.tif 000006
【図５】
2013225100.tif 000007
【図６】
2013225100.tif 000008
【図７】
2013225100.tif 000009
【図８】
2013225100.tif 000010
【図９】
2013225100.tif 000011
【図１０】
2013225100.tif 000012
【図１１】
2013225100.tif 000013
【図１２】
2013225100.tif 000014
【図１３】
2013225100.tif 000015
【図１４】
2013225100.tif 000016
【図１５】
2013225100.tif 000017
【図１６】
2013225100.tif 000018
【図１７】
2013225100.tif 000019
【図１８】
2013225100.tif 000020
【図１９】
2013225100.tif 000021